(57)【要約】【課題】興趣の高い演出を行う。【解決手段】パチンコ機は、転落抽選機能を有し、特別遊技の終了後、確変機能及び時短機能が作動する特典状態に移行する。ここで、特別遊技後、上限回数の当否判定が行われるまでの期間を、特別期間とする。パチンコ機は、特典状態中、特別期間に転落抽選で当選すると、確変機能が停止し、その後、特別期間が経過すると、時短機能が停止する。また、特別期間の経過後に転落抽選で当選すると、確変機能及び時短機能が停止する。また、演出の態様として、遊技状態を判別可能な報知態様と、遊技状態を判別不可能な非報知態様とが設けられている。特別期間の演出の態様は、特別遊技の種類と、特別遊技の遊技内容とのうちの少なくとも一方に応じて、報知態様と非報知態様とのうちのいずれかに定められる。【選択図】図１６
2018051018.tif 000002
【特許請求の範囲】
【請求項１】
始動口への入球に起因して当否判定を行い、前記当否判定で当選すると、１種類の、又は複数の種類のうちのいずれかの特別遊技を行う弾球遊技機であって、
複数のラウンドにわたって前記特別遊技を行う手段であって、各々の前記ラウンドでは、大入賞口を開放すると共に、前記大入賞口への入球を検出し、前記特別遊技において遊技者により行われた遊技内容を特定する特別遊技手段と、
前記弾球遊技機を、確変状態と非確変状態とを含む複数の遊技状態のうちのいずれかに移行させる手段であって、前記確変状態では、前記非確変状態に比べ前記当否判定で当選する確率が高くなる移行手段と、
遊技の進行に伴い、予め定められた態様で演出を行う演出手段と、を備え、
前記演出の前記態様として、遊技者が前記遊技状態を判別可能な報知態様と、遊技者が前記遊技状態を判別不可能な非報知態様とが設けられており、
前記演出手段は、前記特別遊技の終了後における前記演出の前記態様を、該特別遊技の種類と、該特別遊技の前記遊技内容とのうちの少なくとも一方に応じて、前記報知態様と前記非報知態様とのうちのいずれかとすること、
を特徴とする弾球遊技機。
【請求項２】
請求項１に記載の弾球遊技機において、
前記確変状態中に、前記始動口への入球に起因して転落抽選を行う転落抽選手段をさらに備え、
前記非確変状態として、時短状態と通常状態とが少なくとも設けられており、
前記時短状態では、前記確変状態及び前記通常状態に比べ、前記始動口への入球が容易となり、
前記確変状態且つ前記時短状態である前記遊技状態を、特典状態とし、
前記特別遊技が行われた後、予め定められた上限回数の前記当否判定が行われるまでの期間を、特別期間とし、
前記移行手段は、前記特別遊技の終了により前記特典状態に移行し、前記特典状態中において、前記特別期間に前記転落抽選で当選すると、前記時短状態に移行し、前記特別期間が経過した後に前記転落抽選で当選すると、前記通常状態に移行し、前記転落抽選の当選により移行した前記時短状態中において、前記特別期間が経過すると、前記通常状態に移行し、
前記演出手段は、前記特別期間における前記演出の前記態様を、前記特別遊技の前記種類と、前記遊技内容とのうちの少なくとも一方に応じて、前記報知態様と前記非報知態様とのうちのいずれかとすること、
を特徴とする弾球遊技機。
【請求項３】
請求項２に記載の弾球遊技機において、
前記特別遊技における最後の前記ラウンド以外の少なくとも１つの前記ラウンドとして、条件付ラウンドが設けられており、
前記特別遊技手段は、
前記特別遊技における前記条件付ラウンドでは、継続口に入球した場合には、次の前記ラウンドに進み、前記継続口に入球しなかった場合には、該条件付ラウンドの終了に伴い該特別遊技を終了し、
前記特別遊技にて行われた前記ラウンドの数を、前記遊技内容として特定し、
前記演出手段は、前記特別期間における前記演出の前記態様を、前記遊技内容に応じて、前記報知態様と前記非報知態様とのうちのいずれかとすること、
を特徴とする弾球遊技機。
【請求項４】
請求項３に記載の弾球遊技機において、
前記演出手段は、前記遊技内容が、前記特別遊技にて行われた前記ラウンドの数が予め定められた閾値に達したというものである場合には、前記特別期間における前記演出の前記態様を前記報知態様とし、そうでない場合には、該態様を前記非報知態様とすること、
を特徴とする弾球遊技機。
【請求項５】
請求項３に記載の弾球遊技機において、
前記演出手段は、前記遊技内容が、前記特別遊技にて行われた前記ラウンドの数が予め定められた閾値に達したというものである場合には、前記特別期間における前記演出の前記態様を前記非報知態様とし、そうでない場合には、該態様を前記報知態様とすること、
を特徴とする弾球遊技機。
【請求項６】
請求項３から請求項５のうちのいずれか１項に記載の弾球遊技機において、
前記特別遊技の前記種類として、前記条件付ラウンドを有さない無条件特別遊技と、少なくとも１つの前記条件付ラウンドを有する条件付特別遊技とが設けられており、
前記移行手段は、前記条件付特別遊技の終了により前記特別期間に移行すると、前記特典状態に移行し、前記無条件特別遊技の終了により前記特別期間に移行すると、前記時短状態又は前記通常状態に移行すること、
を特徴とする弾球遊技機。
【請求項７】
請求項１から請求項６のうちのいずれか１項に記載の弾球遊技機において、
前記特別遊技の前記種類として、無条件特別遊技と条件付特別遊技とが設けられており、
前記条件付特別遊技は、最後の前記ラウンド以外の少なくとも１つの前記ラウンドとして、条件付ラウンドを有し、
前記無条件特別遊技は、前記条件付ラウンドを有さず、
前記特別遊技手段は、前記条件付特別遊技における前記条件付ラウンドでは、継続口に入球した場合には、次の前記ラウンドに進み、前記継続口に入球しなかった場合には、該条件付ラウンドの終了に伴い該条件付特別遊技を終了し、
前記演出手段は、前記特別期間における前記演出の前記態様を、前記特別遊技の前記種類が前記無条件特別遊技であるか前記条件付特別遊技であるかに応じて、前記報知態様と前記非報知態様とのうちのいずれかとすること、
を特徴とする弾球遊技機。
【請求項８】
請求項１に記載の弾球遊技機において、
前記特別遊技における前記ラウンドとして、少なくとも１つの確変ラウンドが設けられており、
前記特別遊技手段は、前記特別遊技における前記確変ラウンドで、確変口への入球を検出すると共に、前記確変ラウンドに関する前記遊技内容を特定し、
前記移行手段は、前記特別遊技が終了すると、該特別遊技における前記確変ラウンドで前記確変口への入球が生じている場合には、前記確変状態に移行し、そうでない場合には、前記非確変状態に移行し、
前記演出手段は、前記特別遊技の終了後における前記演出の前記態様を、該特別遊技における前記確変口への入球が生じた前記確変ラウンドに関する前記遊技内容に応じて、前記報知態様と前記非報知態様とのうちのいずれかとすること、
を特徴とする弾球遊技機。
【請求項９】
請求項８に記載の弾球遊技機において、
前記確変口は、前記大入賞口に入球した遊技球が入球可能であり、
前記確変口への入球が生じた前記確変ラウンドに関する前記遊技内容とは、該確変ラウンドにおいて、前記確変口に入球した遊技球は、何番目に前記大入賞口に入球した遊技球であるかというものであること、
を特徴とする弾球遊技機。
【請求項１０】
請求項８に記載の弾球遊技機において、
前記特別遊技における前記ラウンドとして、少なくとも２つの前記確変ラウンドが設けられており、
前記確変口への入球が生じた前記確変ラウンドに関する前記遊技内容とは、前記特別遊技におけるいずれの前記確変ラウンドにて前記確変口への入球が生じたかであるかというものであること、
を特徴とする弾球遊技機。
【請求項１１】
請求項８から請求項１０のうちのいずれか１項に記載の弾球遊技機において、
前記確変状態中に、前記始動口への入球に起因して転落抽選を行う転落抽選手段をさらに備え、
前記非確変状態として、時短状態と通常状態とが少なくとも設けられており、
前記時短状態では、前記確変状態及び前記通常状態に比べ、前記始動口への入球が容易となり、
前記確変状態且つ前記時短状態である前記遊技状態を、特典状態とし、
前記特別遊技が行われた後、予め定められた上限回数の前記当否判定が行われるまでの期間を、特別期間とし、
前記移行手段は、
前記特別遊技が終了すると、該特別遊技における前記確変ラウンドで前記確変口への入球が生じている場合には、前記特典状態に移行し、そうでない場合には、前記時短状態又は前記通常状態に移行し、
前記特典状態中において、前記特別期間に前記転落抽選で当選すると、前記時短状態に移行し、前記特別期間が経過した後に前記転落抽選で当選すると、前記通常状態に移行し、前記転落抽選の当選により移行した前記時短状態中において、前記特別期間が経過すると、前記通常状態に移行し、
前記演出手段は、前記特典状態である場合には、前記特別期間における前記演出の前記態様を、前記遊技内容に応じて、前記報知態様と前記非報知態様のうちのいずれかとすること、
を特徴とする弾球遊技機。
【請求項１２】
請求項２から請求項６、及び、請求項１１のうちのいずれか１項に記載の弾球遊技機において、
前記特別遊技終了後に所定の確率の下に前記特典状態に移行することを特徴とする弾球遊技機。
【請求項１３】
請求項２から請求項６、請求項１１、及び、請求項１２のうちのいずれか１項に記載の弾球遊技機において、
前記転落抽選を行うか否かは所定の確率の下で決定されることを特徴とする弾球遊技機。
【発明の詳細な説明】
【技術分野】
【０００１】
本発明は、弾球遊技機に関する。
【背景技術】
【０００２】
特許文献１，２に記載されているように、転落抽選機能を有する遊技機が知られている。これらの遊技機は、当否判定で大当りとなることにより特別遊技が行われると、特別遊技の終了後に確変機能及び時短機能が作動し、当否判定で大当りとなる確率が高くなると共に、始動口への入球が容易となる。そして、確変機能の作動中は、当否判定が行われる際に転落抽選が行われる。特別遊技の終了後、所定回数の当否判定が行われるまでの期間である特別期間に転落抽選で当選すると、確変機能が停止し、その後、特別期間が経過すると、時短機能が停止する。一方、特別遊技の終了後、特別期間が経過した後に転落抽選で当選すると、確変機能及び時短機能が停止する。
【先行技術文献】
【特許文献】
【０００３】
【特許文献１】特開２０１２−０３４９３０号公報
【特許文献２】特開２０１４−０５０７５２号公報
【発明の概要】
【発明が解決しようとする課題】
【０００４】
上述した遊技機は、確変機能が作動している可能性のある特別期間には、転落抽選に当選したかどうかが判別不能な態様で演出を行う。これにより、遊技者に緊張感を与えることができるが、その反面、特別期間の演出がマンネリ化していた。このため、新規な演出が求められていた。
本発明は、興趣の高い演出を行うことを目的とする。
【課題を解決するための手段】
【０００５】
上記課題に鑑みてなされた請求項１に記載された弾球遊技機は、始動口への入球に起因して当否判定を行い、当否判定で当選すると、１種類の、又は複数の種類のうちのいずれかの特別遊技を行う。該弾球遊技機は、複数のラウンドにわたって特別遊技を行う手段であって、各々のラウンドでは、大入賞口を開放すると共に、大入賞口への入球を検出し、特別遊技において遊技者により行われた遊技内容を特定する特別遊技手段と、弾球遊技機を、確変状態と非確変状態とを含む複数の遊技状態のうちのいずれかに移行させる手段であって、確変状態では、非確変状態に比べ当否判定で当選する確率が高くなる移行手段と、遊技の進行に伴い、予め定められた態様で演出を行う演出手段と、を備える。そして、演出の態様として、遊技者が遊技状態を判別可能な報知態様と、遊技者が遊技状態を判別不可能な非報知態様とが設けられており、演出手段は、特別遊技の終了後における演出の態様を、該特別遊技の種類と、該特別遊技の遊技内容とのうちの少なくとも一方に応じて、報知態様と非報知態様とのうちのいずれかとする。
【０００６】
このような構成によれば、特別遊技の種類や特別遊技において行われた遊技内容に応じて、特別遊技後の演出が、遊技状態を判別可能な報知態様と、遊技状態を判別不可能な非報知態様とのうちのいずれかに定められる。このため、例えば、遊技者の技量や運や獲得した利益等に応じて特別遊技後の演出が変化し、演出を多様化することが可能となる。また、一定の技量を有する遊技者であれば、特別遊技の遊技内容を調整し、遊技者が希望する演出を行わせることが可能となる。したがって、興趣の高い演出を行うことが可能となる。
【０００７】
また、報知態様の演出が行われている場合、遊技者は、遊技状態が確変状態から非確変状態に変化したことを把握できるが、該遊技状態の変化は、遊技の終了時期の判断材料となる可能性がある。このため、遊技者は、例えば、その技量や運や獲得した利益等により遊技の終了時期の判断材料を得ることができ、これにより、有利に遊技を行うことが可能となる。
【０００８】
また、請求項２に記載された弾球遊技機は、確変状態中に、始動口への入球に起因して転落抽選を行う転落抽選手段をさらに備え、非確変状態として、時短状態と通常状態とが少なくとも設けられており、時短状態では、確変状態及び通常状態に比べ、始動口への入球が容易となる。また、確変状態且つ時短状態である遊技状態を、特典状態とし、特別遊技が行われた後、予め定められた上限回数の当否判定が行われるまでの期間を、特別期間とする。そして、移行手段は、特別遊技の終了により特典状態に移行し、特典状態中において、特別期間に転落抽選で当選すると、時短状態に移行し、特別期間が経過した後に転落抽選で当選すると、通常状態に移行し、転落抽選の当選により移行した時短状態中において、特別期間が経過すると、通常状態に移行する。また、演出手段は、特別期間における演出の態様を、特別遊技の種類と、遊技内容とのうちの少なくとも一方に応じて、報知態様と非報知態様とのうちのいずれかとする。
【０００９】
このような構成によれば、特別遊技の種類や特別遊技において行われた遊技内容に応じて、特別遊技後の特別期間の演出にて、転落抽選への当選が報知されるか否かが定められる。このため、例えば、遊技者の技量や運や獲得した利益等に応じて特別遊技後の演出が変化し、演出を多様化することが可能となる。また、一定の技量を有する遊技者であれば、特別遊技の遊技内容を調整し、遊技者が希望する演出を行わせることが可能となる。したがって、興趣の高い演出を行うことが可能となる。
【００１０】
また、転落抽選に当選したか否かは、遊技の終了時期の判断材料となる可能性がある。このため、遊技者は、例えば、その技量や運や獲得した利益等により遊技の終了時期の判断材料を得ることができ、これにより、有利に遊技を行うことが可能となる。
また、請求項３に記載された弾球遊技機は、特別遊技における最後のラウンド以外の少なくとも１つのラウンドとして、条件付ラウンドが設けられている。そして、特別遊技手段は、特別遊技における条件付ラウンドでは、継続口に入球した場合には、次のラウンドに進み、継続口に入球しなかった場合には、該条件付ラウンドの終了に伴い該特別遊技を終了し、特別遊技にて行われたラウンドの数を、遊技内容として特定する。そして、演出手段は、特別期間における演出の態様を、遊技内容に応じて、報知態様と非報知態様とのうちのいずれかとする。
【００１１】
このような構成によれば、遊技者の技量や獲得した利益等に応じて特別期間の演出が変化し、演出を多様化することが可能となる。また、一定の技量を有する遊技者であれば、特別遊技の遊技内容を調整し、遊技者が希望する演出を行わせることが可能となる。したがって、興趣の高い演出を行うことが可能となる。
また、遊技者は、例えば、その技量や獲得した利益等により遊技の終了時期の判断材料を得ることができ、これにより、有利に遊技を行うことが可能となる。
【００１２】
また、請求項４に記載された弾球遊技機では、演出手段は、遊技内容が、特別遊技にて行われたラウンドの数が予め定められた閾値に達したというものである場合には、特別期間における演出の態様を報知態様とし、そうでない場合には、該態様を非報知態様とする。
このような構成によれば、特別遊技にて多くの賞球が得られた場合には、特別期間の演出は報知態様となるため、遊技者は遊技の終了時期の判断材料を得ることができ、遊技者をより満足させることができる。一方、特別遊技にて多くの賞球が得られなかった場合には、特別期間の演出は非報知態様となるため、遊技者は転落抽選に当選していないことへの期待を持つことができ、遊技者の遊技意欲を高めることが可能となる。
【００１３】
また、請求項５に記載された弾球遊技機では、演出手段は、遊技内容が、特別遊技にて行われたラウンドの数が予め定められた閾値に達したというものである場合には、特別期間における演出の態様を非報知態様とし、そうでない場合には、該態様を報知態様とする。
このような構成によれば、特別遊技にて多くの賞球が得られなかった場合には、特別期間の演出は報知態様となるため、遊技者は遊技の終了時期の判断材料を得ることができる。このため、遊技者は適切なタイミングで遊技を終了でき、損失を抑えることが可能となる。一方、特別遊技にて多くの賞球が得られた場合には、遊技者は持球に余裕があるため、特別期間にわたって遊技を継続する可能性が高いと考えられる。このような場合に特別期間の演出は非報知態様とすることで、特別期間にわたって遊技者に対し転落抽選に当選していないことへの期待を持たせ続けることができ、遊技者の遊技意欲をさらに高めることができる。
【００１４】
また、請求項６に記載された弾球遊技機では、特別遊技の種類として、条件付ラウンドを有さない無条件特別遊技と、少なくとも１つの条件付ラウンドを有する条件付特別遊技とが設けられている。そして、移行手段は、条件付特別遊技の終了により特別期間に移行すると、特典状態に移行し、無条件特別遊技の終了により特別期間に移行すると、時短状態又は通常状態に移行する。
【００１５】
条件付特別遊技は、無条件特別遊技に比べて賞球数が少なくなる可能性があり、遊技者に不利と考えられる。これに対し、上記構成によれば、条件付特別遊技の終了後は、特典状態に移行し、遊技者に利益が与えられるため、遊技者の落胆を抑制できる。また、無条件特別遊技が行われる場合と条件付特別遊技が行われる場合とにおける、遊技者に付与される利益のバランスを取ることができる。
【００１６】
また、請求項７に記載の弾球遊技機では、特別遊技の種類として、無条件特別遊技と条件付特別遊技とが設けられており、条件付特別遊技は、最後のラウンド以外の少なくとも１つのラウンドとして、条件付ラウンドを有し、無条件特別遊技は、条件付ラウンドを有さない。そして、特別遊技手段は、条件付特別遊技における条件付ラウンドでは、継続口に入球した場合には、次のラウンドに進み、継続口に入球しなかった場合には、該条件付ラウンドの終了に伴い該条件付特別遊技を終了し、演出手段は、特別期間における演出の態様を、特別遊技の種類が無条件特別遊技であるか条件付特別遊技であるかに応じて、報知態様と非報知態様とのうちのいずれかとする。
【００１７】
このような構成によれば、特別遊技が無条件特別遊技であるか条件付特別遊技であるかに応じて、特別遊技後の演出が、報知態様と非報知態様とのうちのいずれかに定められる。このため、例えば、遊技者の運や獲得した利益等に応じて特別遊技後の演出が変化し、演出を多様化することが可能となる。したがって、興趣の高い演出を行うことが可能となる。
【００１８】
また、報知態様の演出は、遊技の終了時期の判断材料となる可能性がある。このため、遊技者は、例えば、運や獲得した利益等により遊技の終了時期の判断材料を得ることができ、これにより、有利に遊技を行うことが可能となる。
また、請求項８に記載の弾球遊技機では、特別遊技におけるラウンドとして、少なくとも１つの確変ラウンドが設けられている。そして、特別遊技手段は、特別遊技における確変ラウンドで、確変口への入球を検出すると共に、確変ラウンドに関する遊技内容を特定し、移行手段は、特別遊技が終了すると、該特別遊技における確変ラウンドで確変口への入球が生じている場合には、確変状態に移行し、そうでない場合には、非確変状態に移行する。また、演出手段は、特別遊技の終了後における演出の態様を、該特別遊技における確変口への入球が生じた確変ラウンドに関する遊技内容に応じて、報知態様と非報知態様とのうちのいずれかとする。
【００１９】
このような構成によれば、特別遊技の確変ラウンドにおいて行われた遊技内容に応じて、特別遊技後の演出が、報知態様と非報知態様とのうちのいずれかに定められる。このため、例えば、遊技者の技量や運や獲得した利益等に応じて特別遊技後の演出が変化し、演出を多様化することが可能となる。また、一定の技量を有する遊技者であれば、確変ラウンドでの遊技内容を調整し、遊技者が希望する演出を行わせることが可能となる。したがって、興趣の高い演出を行うことが可能となる。
【００２０】
また、報知態様の演出は、遊技の終了時期の判断材料となる可能性がある。このため、遊技者は、例えば、その技量や運や獲得した利益等により遊技の終了時期の判断材料を得ることができ、これにより、有利に遊技を行うことが可能となる。
また、請求項９に記載の弾球遊技機では、確変口は、大入賞口に入球した遊技球が入球可能であり、確変口への入球が生じた確変ラウンドに関する遊技内容とは、該確変ラウンドにおいて、確変口に入球した遊技球は、何番目に大入賞口に入球した遊技球である。
【００２１】
このような構成によれば、特別遊技の確変ラウンドにて、どの遊技球を確変口に入球させるかを調整することで、特別遊技後の演出が、報知態様と非報知態様とのうちのいずれかに定められる。このため、例えば、遊技者の技量や運等に応じて特別遊技後の演出が変化し、演出を多様化することが可能となる。また、一定の技量を有する遊技者であれば、どの遊技球を確変口に入球させるかを調整し、遊技者が希望する演出を行わせることが可能となる。したがって、興趣の高い演出を行うことが可能となる。
【００２２】
また、報知態様の演出は、遊技の終了時期の判断材料となる可能性がある。このため、遊技者は、例えば、その技量や運等により遊技の終了時期の判断材料を得ることができ、これにより、有利に遊技を行うことが可能となる。
また、請求項１０に記載の弾球遊技機では、特別遊技におけるラウンドとして、少なくとも２つの確変ラウンドが設けられており、確変口への入球が生じた確変ラウンドに関する遊技内容とは、特別遊技におけるいずれの確変ラウンドにて確変口への入球が生じたかであるかというものである。
【００２３】
このような構成によれば、特別遊技のどの確変ラウンドにて遊技球を確変口に入球させるかを調整することで、特別遊技後の演出が、報知態様と非報知態様とのうちのいずれかに定められる。このため、例えば、遊技者の技量や運等に応じて特別遊技後の演出が変化し、演出を多様化することが可能となる。また、一定の技量を有する遊技者であれば、どの遊技球を確変口に入球させるかを調整し、遊技者が希望する演出を行わせることが可能となる。したがって、興趣の高い演出を行うことが可能となる。
【００２４】
また、報知態様の演出は、遊技の終了時期の判断材料となる可能性がある。このため、遊技者は、例えば、その技量や運等により遊技の終了時期の判断材料を得ることができ、これにより、有利に遊技を行うことが可能となる。
また、請求項１１に記載の弾球遊技機では、確変状態中に、始動口への入球に起因して転落抽選を行う転落抽選手段をさらに備え、非確変状態として、時短状態と通常状態とが少なくとも設けられており、時短状態では、確変状態及び通常状態に比べ、始動口への入球が容易となり、確変状態且つ時短状態である遊技状態を、特典状態とし、特別遊技が行われた後、予め定められた上限回数の当否判定が行われるまでの期間を、特別期間としている。そして、移行手段は、特別遊技が終了すると、該特別遊技における確変ラウンドで確変口への入球が生じている場合には、特典状態に移行し、そうでない場合には、時短状態又は通常状態に移行し、特典状態中において、特別期間に転落抽選で当選すると、時短状態に移行し、特別期間が経過した後に転落抽選で当選すると、通常状態に移行し、転落抽選の当選により移行した時短状態中において、特別期間が経過すると、通常状態に移行する。また、演出手段は、特典状態である場合には、特別期間における演出の態様を、遊技内容に応じて、報知態様と非報知態様のうちのいずれかとする。
【００２５】
このような構成によれば、特別遊技の種類や特別遊技において行われた遊技内容に応じて、特別遊技後の特別期間の演出にて、転落抽選への当選が報知されるか否かが定められる。このため、例えば、遊技者の技量や運や獲得した利益等に応じて特別遊技後の演出が変化し、演出を多様化することが可能となる。また、一定の技量を有する遊技者であれば、特別遊技の遊技内容を調整し、遊技者が希望する演出を行わせることが可能となる。したがって、興趣の高い演出を行うことが可能となる。
【００２６】
また、転落抽選に当選したか否かは、遊技の終了時期の判断材料となる可能性がある。このため、遊技者は、例えば、その技量や運や獲得した利益等により遊技の終了時期の判断材料を得ることができ、これにより、有利に遊技を行うことが可能となる。
また、請求項１２の弾球遊技機では、特別遊技終了後に所定の確率の下に特典状態に移行する。また、請求項１３の弾球遊技機では、転落抽選を行うか否かは所定の確率の下で決定される。
【００２７】
これらの構成によれば、遊技の興趣を高めることができる。
【図面の簡単な説明】
【００２８】
【図１】第１実施形態におけるパチンコ機の正面図である。
【図２】第１実施形態におけるパチンコ機の遊技盤の正面図である。
【図３】第１実施形態におけるパチンコ機の大入賞口の説明図である。
【図４】第１実施形態におけるパチンコ機の裏面図である。
【図５】第１実施形態におけるパチンコ機の電気的構成を示すブロック図である。
【図６】第１実施形態におけるメインルーチンについてのフローチャートである。
【図７】第１実施形態における始動入賞確認処理についてのフローチャートである。
【図８】第１実施形態における当否判定処理についてのフローチャートである。
【図９】第１実施形態における当否判定処理についてのフローチャートである。
【図１０】第１実施形態における当否判定処理についてのフローチャートである。
【図１１】第１実施形態における当否判定処理についてのフローチャートである。
【図１２】第１実施形態における当否判定処理についてのフローチャートである。
【図１３】第１実施形態における特別遊技処理についてのフローチャートである。
【図１４】第１実施形態における特別遊技処理についてのフローチャートである。
【図１５】第１実施形態における特別遊技処理についてのフローチャートである。
【図１６】第１実施形態における演出制御処理についてのフローチャートである。
【図１７】第２実施形態におけるパチンコ機の大入賞口の説明図である。
【図１８】第２実施形態におけるパチンコ機の電気的構成を示すブロック図である。
【発明を実施するための形態】
【００２９】
以下、本発明の実施形態について図面を用いて説明する。なお、本発明の実施の形態は、下記の実施形態に何ら限定されることはなく、本発明の技術的範囲に属する限り種々の形態を採りうる。
［第１実施形態］
［構成の説明］
（１）全体の構成について
図１に示すように、遊技機の一種である第１実施形態のパチンコ機５０は、縦長の固定外郭保持枠をなす外枠５１にて構成の各部を保持する構造である。外枠５１の左側上下には、ヒンジ５３が設けられており、該ヒンジ５３の他方側には図４に記載する内枠７０が取り付けられており、内枠７０は外枠５１に対して開閉可能な構成になっている。
【００３０】
前枠５２には、板ガラス６１が取り外し自在に設けられており、板ガラス６１の奥には図２に記載する遊技盤１が内枠７０に取り付けられている。
前枠５２の上側左右及び外枠下側左右には、スピーカ６６が設けられており、パチンコ機５０から発生する遊技音が出力され、遊技者の趣向性を向上させる。また、遊技者の趣向性を向上させるために前枠５２に遊技状態に応じて発光する枠側装飾ランプ６５も複数設けられている。
【００３１】
前枠５２の下方には、上皿５５と下皿６３が一体に形成されている。下皿６３の右側には発射ハンドル６４が取り付けられており、該発射ハンドル６４を時計回りに回動操作することによって発射装置（図示省略）が作動して、上皿５５から供給された遊技球が遊技盤１に向けて発射される。発射された遊技球は、遊技盤１の遊技領域３を流下する。
上皿５５の上部ほぼ中央には、遊技者が操作可能な演出ボタン６７が備えられている。演出ボタン６７は、遊技者が有効期間中に操作することで、後述する演出表示装置６の画面に表示される演出内容を変化させ、スピーカにより出力される遊技音が変化させるものとなっている。また、演出ボタン６７は、その周囲にジョグダイヤル６８を備えたものとなっており、ジョグダイヤル６８を回転させることにより、演出用の画像に変化を与えることが可能に構成されている。また、このパチンコ機５０はいわゆるＣＲ機であって、プリペイドカードの読み書き等を行うためのプリペイドカードユニット（ＣＲユニット）５６が付属しており、パチンコ機５０には、貸出ボタン５７、精算ボタン５８及び残高表示器５９を有するＣＲ精算表示装置が備わっている。
【００３２】
図２は、本実施例のパチンコ機５０の遊技盤１の正面図である。図２に示すように遊技盤１には、公知のガイドレール２ａ，２ｂによって囲まれた略円形の遊技領域３が設けられている。この遊技領域３には多数の遊技釘４が打ち付けられている。
遊技領域３のほぼ中央部には、センターケース５が配されている。センターケース５は、公知のものと同様に、ワープ入口，ワープ通路，ステージ，演出図柄表示装置６（液晶表示装置であり、演出図柄等の各種演出画面を表示する。）の画面を臨ませる窓等を備えている。
【００３３】
センターケース５の下には、第１始動口１１が配置されている。第１始動口１１の下方には、第２始動口１２が設けられている。該第２始動口１２は、開閉可能な翼片を供えた普通電動役物から構成されており、この翼片が開放しないと遊技球は第２始動口１２に入球できない構成となっている。センターケース５の左方には普通図柄作動ゲート１７が配置されており、ここを遊技球が通過すると、普通図柄の当否判定が行われて普通図柄が変動し、普通図柄が当り図柄で停止すると翼片が開放される。
【００３４】
遊技領域３の右下部には、複数個のＬＥＤからなる普通図柄表示装置７と、普通図柄保留数表示装置８と、第１特別図柄保留数表示装置１８と、第２特別図柄保留数表示装置１９と、７セグメント表示装置からなる第１特別図柄表示装置９及び第２特別図柄表示装置１０とが配置されている。
第２始動口１２の下方にはアタッカー式の少なくとも１つの大入賞口１００が配置されている。図３に示すように、大入賞口１００には、継続口１０１が設けられている。なお、継続口１０１は、所定のパターンで移動したり、開閉がなされたりしても良い。そして、大入賞口１００に入球した遊技球の一部が継続口１０１に入球するようにしても良い。また、継続口１０１の配置位置は、これに限らず、例えば、大入賞口１００の外部に配置されていても良い。また、第１始動口１１の左側には第１左入賞口３１、第２左入賞口３２、第３左入賞口３３と第４左入賞口３４が設けられている。なお、この第１左入賞口３１、第２左入賞口３２、第３左入賞口３３、第４左入賞口３４が、常時、入球率が変化しない普通入賞口である。
【００３５】
パチンコ機の裏面は図４に示すとおり、前述した遊技盤１を脱着可能に取り付ける内枠７０が前述した外枠５１に収納されている。この内枠７０には、上方から、球タンク７１、タンクレール７２及び払出装置７３が設けられている。この構成により、遊技盤１上の入賞口に遊技球の入賞があれば球タンク７１からタンクレール７２を介して所定個数の遊技球を払出装置７３により前述した上皿５５に排出することができる。また、パチンコ機５０の裏側には（図５も参照のこと）、主制御装置８０、払出制御装置８１、演出図柄制御装置８２、サブ統合制御装置８３、発射制御装置８４、及び、電源基板８５が設けられている。なお、演出図柄制御装置８２及びサブ統合制御装置８３が、サブ制御装置に該当する。
【００３６】
主制御装置８０、演出図柄制御装置８２、及び、サブ統合制御装置８３は、遊技盤１に設けられており、払出制御装置８１、発射制御装置８４、及び、電源基板８５は、内枠７０に設けられている。なお、図４では、発射制御装置８４が描かれていないが、発射制御装置８４は払出制御装置８１の下に設けられている。また、球タンク７１の右側には、外部接続端子７８が設けられており、この外部接続端子７８より、遊技状態や遊技結果を示す信号が図示しないホールコンピュータに送られる。なお、従来は、ホールコンピュータへ信号を送信するための外部接続端子７８として、盤用（遊技盤側から出力される信号をホールコンピュータへ出力するための端子）と枠用（枠側（前枠５２、内枠７０、外枠５１）から出力される信号をホールコンピュータへ出力するための端子）との２種類が用いられていたが、第１実施形態では、一つの外部接続端子７８を介して、ホールコンピュータへ遊技状態や遊技結果を示す信号を送信している。
【００３７】
（２）電気的構成について
第１実施形態のパチンコ機５０の電気的構成は、図５のブロック図に示すとおり、主制御装置８０を中心にして構成されている。なお、このブロック図には、単に信号を中継するだけのためのいわゆる中継基板及び電源回路等は記載されていない。また、詳細の図示は省略するが、主制御装置８０、払出制御装置８１、演出図柄制御装置８２、及び、サブ統合制御装置８３のいずれも、ＣＰＵ，ＲＯＭ，ＲＡＭ，入力ポート，出力ポート等を備えているが、第１実施形態では、発射制御装置８４にはＣＰＵ，ＲＯＭ，ＲＡＭ等は設けられていない。しかし、これに限るわけではなく、発射制御装置８４にＣＰＵ，ＲＯＭ，ＲＡＭ等が設けられていても良い。
【００３８】
なお、パチンコ機５０には、サブ統合制御装置８３に設けられたＲＡＭの内容を保持するバックアップ電源が設けられていない。
すなわち、電源基板８５は、コンデンサを含んで構成されたバックアップ電源生成回路によりバックアップ電源を生成する構成となっており、バックアップ電源は、主制御装置８０のＲＡＭへと供給される。これにより、主制御装置８０のＲＡＭのバックアップを行うことができ、パチンコ機５０への電源供給が停止した後も、一定時間にわたり電源供給が停止した直前の主制御装置８０のＲＡＭの内容（例えば、パチンコ機５０の遊技状態など）を保持する構成となっている。
【００３９】
一方、第１実施形態の電源基板８５が生成するバックアップ電源は、サブ統合制御装置８３へ供給されないため、パチンコ機５０への電源供給が停止した後は、サブ統合制御装置８３のＲＡＭに保持されている記憶は消去される。
主制御装置８０には、第１始動口１１に入球した遊技球を検出する第１始動口スイッチ１１ａと、第２始動口１２に入球した遊技球を検出する第２始動口スイッチ１２ａと、普通図柄を作動させる普通図柄作動ゲート１７に進入した遊技球を検出する普通図柄作動スイッチ１７ａと、大入賞口１００に入球した遊技球を計数するためのカウントスイッチ１００ａと、継続口１０１に入球した遊技球を検出する継続口ＳＷ１０１ａと、第１左入賞口３１、第２左入賞口３２、第３左入賞口３３、及び、第４左入賞口３４に入球した遊技球を検出する左入賞口スイッチ３１ａとからの検出信号が入力される。
【００４０】
主制御装置８０は搭載しているプログラムに従って動作して、上述の検出信号などに基づいて遊技の進行に関わる各種のコマンドを生成して払出制御装置８１及びサブ統合制御装置８３に出力する。
また、主制御装置８０は、図柄表示装置中継端子板９０を介して接続されている第１特別図柄表示装置９及び第２特別図柄表示装置１０の表示と、第１特別図柄保留数表示装置１８、第２特別図柄保留数表示装置１９、普通図柄表示装置７、及び普通図柄保留数表示装置８の点灯とを制御する。
【００４１】
更に、主制御装置８０は、大入賞口ソレノイド１００ｂを制御することで大入賞口１００の開閉を制御し、普通電動役物ソレノイド（図５では普電役物ソレノイドと表記）１２ｂを制御することで第２始動口１２の開閉を制御する。
主制御装置８０からの出力信号は試験信号端子にも出力される他、図柄変動や大当り（特別遊技ともいう）等の管理用の信号が外部接続端子７８に出力されてホールメインコンピュータに送られる。主制御装置８０と払出制御装置８１とは、双方向通信が可能である。
【００４２】
払出制御装置８１は、主制御装置８０から送られてくるコマンドに応じて払出モータ２０を稼働させて賞球を払い出させる。第１実施形態においては、賞球として払い出される遊技球を計数するための払出スイッチ２１の検出信号は、払出制御装置８１に入力され、払出制御装置８１で賞球の計数が行われる構成を用いる。この他にも、主制御装置８０と払出制御装置８１とに払出スイッチ２１からの検出信号が入力され、主制御装置８０と払出制御装置８１との双方で、賞球の計数を行う構成を用いることも考えられる。
【００４３】
なお、払出制御装置８１は、ガラス枠開放スイッチ３５、内枠開放スイッチ３６、満杯スイッチ２２、及び、球切れスイッチ２３からの信号が入力され、満杯スイッチ２２により下皿６３が満タンであることを示す信号が入力された場合、及び、球切れスイッチ２３により球タンクに遊技球が少ない或いは無いことを示す信号が入力された場合には、払出モータ２０を停止させ、賞球の払出動作を停止させる。満杯スイッチ２２、及び、球切れスイッチ２３も、その状態が解消されるまで信号を出力し続ける構成になっており、払出制御装置８１は、その信号が出力されなくなることに起因して払出モータ２０の駆動を再開させる。
【００４４】
また、払出制御装置８１は、ＣＲユニット端子板２４を介してプリペイドカードユニットと通信することで払出モータ２０を作動させ、貸し球を排出する。払出された貸し球は払出スイッチ２１に検出され、検出信号は払出制御装置８１に入力される。なお、ＣＲユニット端子板２４は、精算表示基板２５とも双方向通信可能に接続されており、精算表示基板２５には、遊技球の貸出しを要求するための球貸ボタン、精算を要求するための返却ボタン、及び、残高表示器が接続されている。
【００４５】
また、払出制御装置８１は、外部接続端子７８を介して、賞球に関する情報、及び、枠（内枠、前枠）の開閉状態を示す情報等をホールコンピュータに送信するほか、発射制御装置８４に対して発射停止信号を送信する。
なお、第１実施形態は、遊技球を払い出す構成であるが、入賞等に応じて発生した遊技球を払い出さずに記憶する封入式の構成にしても良い。
【００４６】
発射制御装置８４は、発射モータ３０を制御して、遊技領域３に遊技球を発射させる。なお、発射制御装置８４には、払出制御装置８１以外に、発射ハンドル６４からの回動量信号、タッチスイッチ２８からのタッチ信号、及び、発射停止スイッチ２９から発射停止信号が入力される。
回動量信号は、遊技者が発射ハンドル６４を操作することで出力され、タッチ信号は遊技者が発射ハンドル６４を触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射できないようになっている。
【００４７】
サブ統合制御装置８３は、サブ制御装置に該当し、主制御装置８０から送信されてくるデータ及びコマンドを受信し、それらを演出表示制御用、音制御用、ランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカからの音声出力を制御し、ランプ制御装置としての機能部はランプ制御用のデータに基づいてランプドライバを作動させることによって各種ＬＥＤ、ランプ２６を制御する。
【００４８】
また、サブ統合制御装置８３には、演出ボタン６７及びジョグダイヤル６８が接続されており、遊技者が演出ユニット６７，６８を操作した際には、その操作信号がサブ統合制御装置８３に入力される。なお、ジョグダイヤル６８を演出図柄制御装置８２に接続する構成にしてもよい。
サブ統合制御装置８３と演出図柄制御装置８２とは、双方向通信が可能である。
【００４９】
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を演出図柄表示装置６の画面に表示させる。
なお、第１実施形態では、サブ統合制御装置８３及び演出図柄制御装置８２は、別々の装置に分かれているが、１つの装置にまとまっていても良い。
【００５０】
［動作の説明］
（１）概要について
第１実施形態のパチンコ機５０では、第１，第２始動口１１，１２への入球に起因して、特別図柄の変動表示を伴う当否判定（以後、単に当否判定とも記載）が行われる。そして、当否判定で当選（以後、大当りとも記載）すると、特別遊技が行われる。特別遊技は、所定数のラウンドにわたって行われ、各ラウンドでは大入賞口１００が開放される。
【００５１】
また、パチンコ機５０には、１種類、又は、複数種類の特別遊技が設けられている。なお、特別遊技の種類は、大当り図柄に応じて定められても良い。そして、特別遊技の少なくとも１つの種類は、条件付特別遊技として構成されている。条件付特別遊技における最終ラウンド以外の少なくとも１つのラウンドは、条件付ラウンドとして構成されている。条件付ラウンドは、継続口１０１に遊技球が入球した場合には、次のラウンドに進み、そうでない場合には、当該条件付ラウンドにて特別遊技が終了する。
【００５２】
なお、条件付ラウンドとして、継続口１０１に遊技球が入球した際に当該ラウンドが終了するタイプと、所定数の遊技球が大入賞口１００に入球するまで、又は、所定時間が経過するまで、当該ラウンドが継続するタイプとのうちの双方又は一方が設けられていても良い。
また、特別遊技の種類として、複数の種類の条件付特別遊技が設けられていても良い。具体的には、各種類の条件付特別遊技は、条件付ラウンドの数や、何ラウンド目が条件付ラウンドであるかや、条件付ラウンドのタイプ等が異なっていても良い。また、条件付特別遊技とは別の種類の特別遊技として、無条件特別遊技を有していても良い。ここで、継続口１０１に入球したか否かに関わらず次のラウンドに進むラウンドを、無条件ラウンドと記載する。無条件特別遊技は、最終ラウンド以外のラウンドは全て無条件ラウンドとなっている。すなわち、無条件特別遊技は、必ず最終ラウンドまで実行される。
【００５３】
また、パチンコ機５０は、確変機能と時短機能（換言すれば、開放延長機能）とを有する。確変機能が作動している場合には、そうでない場合に比べ、当否判定で大当りとなる確率が高くなる。また、時短機能が作動している場合には、そうでない場合に比べ、第２始動口１２への入球が容易となる。具体的には、主制御装置８０は、遊技球が普通図柄作動ゲート１７を通過すると、普通図柄の変動表示を伴う当否判定を行う。この時、主制御装置８０は、普通図柄表示装置７により普通図柄の変動表示を行い、普通図柄の当否判定の結果を報知する。そして、普通図柄の当否判定で当選すると、一定期間にわたって普通電動役物である第２始動口１２が開放される。時短機能の作動中は、普通図柄の変動表示時間が短縮されると共に、普通図柄の当否判定での当選確率が高くなる。さらに、普通図柄の当否判定で当選した際の第２始動口１２の開放時間が長くなる。
【００５４】
なお、確変機能が作動している時のパチンコ機５０の遊技状態を、確変状態とも記載する。また、時短機能が作動している時の遊技状態を、時短状態とも記載する。また、確変機能及び時短機能が作動してない時の遊技状態を、通常状態とも記載する。また、確変状態且つ時短状態である遊技状態を、特典状態とも記載する。パチンコ機５０は、特別遊技の終了後、特典状態に移行する。なお、特別遊技の終了後、常に特典状態に移行する構成としても良い。また、特別遊技の終了後、所定の条件が満たされた場合に特典状態に移行するようにしても良い。具体的には、例えば、特別遊技の種類に応じて、特典状態に移行するか否かが定められても良い。すなわち、条件付特別遊技が行われた場合には、特典状態に移行し、無条件特別遊技が行われた場合には、時短状態又は通常状態に移行しても良い。また、反対に、無条件特別遊技が行われた場合には、特典状態に移行し、条件付特別遊技が行われた場合には、時短状態又は通常状態に移行しても良い。また、例えば、大当り図柄等に応じて、特典状態に移行するか否かが定められても良い。
【００５５】
また、パチンコ機５０は、転落抽選機能を有する。すなわち、パチンコ機５０は、特典状態中は、当否判定と共に転落抽選が行われる。そして、最後に行われた特別遊技終了後に行われた当否判定の回数（以後、単に当否判定回数とも記載）が、上限回数（一例として１００回）未満の時に転落抽選で当選すると、確変機能が停止し、時短状態となる。該時短状態に移行した後、当否判定回数が上限回数に達すると、時短機能が停止し、通常状態となる。一方、当否判定回数が上限回数以上の時に転落抽選で当選すると、確変機能及び時短機能が停止し、通常状態となる。
【００５６】
つまり、特別遊技終了後、特典状態に移行し、転落抽選での当選により特典状態は終了となる。この時、転落抽選当選時の当否判定回数が上限回数以上である場合、通常状態となる。一方、転落抽選当選時の当否判定回数が上限回数未満である場合、転落保障により時短状態となる。時短状態は、当否判定回数が上限回数となるまで継続する。以後、特別遊技終了後から、当否判定回数が上限回数となるまでの期間を、特別期間と記載する。
【００５７】
なお、特別遊技終了後には、特典状態に必ず移行するよう構成する必要はなく、一定の確率の下に移行するよう構成しても良い。同様に、特典状態に移行しても、転落抽選を行うか否かも一定の確率の下で決定しても良い。例えば、特別図柄表示装置９又は１０に表示される特別図柄が奇数の場合に特典状態に移行し、３及び７を除く奇数の場合には転落抽選を行うことが考えられる。このとき、演出図柄表示装置６の画面には、特典状態に移行すること、転落抽選を行うことは報知されない。遊技者に直接報知しないためである。完全に非報知とするため、特別図柄の種類に起因しない構成でも良い。
【００５８】
以下では、パチンコ機５０の動作について詳しく説明する。
（２）メインルーチンについて
主制御装置８０が実行するメインルーチンを図６に従って説明する。メインルーチンは、約２ｍｓ毎のハード割り込みにより定期的に実行される。第１実施形態では、Ｓ１０〜Ｓ６５までの１回だけ実行される処理を「本処理」と称し、この本処理を実行して余った時間内に時間の許す限り繰り返し実行されるＳ７０の処理を「残余処理」と称する。「本処理」は上記割り込みにより定期的に実行されることになる。
【００５９】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、たいていが電源投入時である。電源投入時にはＲＡＭの所定領域の値が所定値と異なる値となっている。
【００６０】
正常割り込みでないと判断されると（Ｓ１０：ｎｏ）、初期設定（例えば前記メモリの所定領域への所定値を書き込み、特別図柄及び普通図柄を初期図柄とする等のメモリの作業領域への各初期値の書き込み等）が為され（Ｓ１５）、残余処理（Ｓ７０）に移行する。
正常割り込みとの肯定判断がなされると（Ｓ１０：ｙｅｓ）、初期値乱数更新処理が実行される（Ｓ２０）。この処理は、初期値乱数の値についてこの処理を実行する毎に＋１するインクリメント処理であり、この処理実行前の初期値乱数の値に＋１するが、この処理を実行する前の乱数値が最大値である「３１９９」のときには次回の処理で初めの値である「０」に戻り、「０」〜「３１９９」までの３２００個の整数を繰り返し昇順に作成する。
【００６１】
Ｓ２０に続く大当り決定用乱数更新処理（Ｓ２５）は、初期値乱数更新処理と同様に処理を実行する毎に＋１するインクリメント処理であり、最大値である「３１９９」のときは次回の処理で初めの値である「０」に戻り、「０」〜「３１９９」までの３２００個の整数を繰り返し昇順に作成する。なお、大当り決定用乱数の最初の値は、初期値乱数設定処理で設定された値となる。この値が２５０であったとすると、大当り決定用乱数は「２５０」「２５１」「２５２」・・・「３１９９」「０」「１」・・・と更新されていく。
【００６２】
なお、大当り決定用乱数が１巡（３２００回、更新されること）すると、そのときの前記初期値乱数の値を大当り決定用乱数の初期値にし、大当り決定用乱数は、その初期値から＋１するインクリメント処理を行う。そして、再び大当り決定用乱数が１巡すると、その時の初期値乱数の値を大当り決定用乱数の初期値にする動作を行う。つまり、この一連の動作を繰り返し続けることになる。前述の例では大当り決定用乱数が「２４９」になると１巡であるから、「２４９」の次は前記初期値乱数の値となる。仮に初期値乱数の値が「８７」だったとすると、「２４９」「８７」「８８」・・・「３１９９」「０」「１」・・・「８６」と変化していき、「８６」の次は新たな前記初期値乱数の値となる。通常確率遊技状態（確率変動機能の未作動時）で大当りと判定される値の数は１０で、「７７５〜７７７」、「１７７５〜１７７７」、「２７７５〜２７７８」となる。また、高確率遊技状態（確率変動機能の作動時）で大当りと判定される値の数は１０よりも大きい数となる。
【００６３】
大当り図柄決定用乱数更新処理（Ｓ３０）は「０」〜「９９」の１００個の整数を繰り返し作成するカウンタとして構成され、本処理毎に＋１され最大値を超えると初めの値である「０」に戻る。
Ｓ３０に続く当り決定用乱数更新処理（Ｓ３５）は、「０」〜「９９６」の９９７個の整数を繰り返し作成するカウンタとして構成され、本処理毎で＋１され最大値を超えると初めの値である「０」に戻る。なお、当選することとなる値は通常確率状態では３１〜４０、高確率状態では３１〜９９６である。なお、この当り決定用乱数更新処理は普通図柄の当否判定に使用し、その他の初期値乱数、大当り決定用乱数、大当り図柄決定用乱数、リーチ判定用乱数、変動パターン決定用乱数は特別図柄の当否判定に使用する。
【００６４】
リーチ判定用乱数更新処理（Ｓ４０）は、「０」〜「２２８」の２２９個の整数を繰り返し作成するカウンタとして構成され、本処理毎で＋１され最大値を超えると初めの値である「０」に戻る。
変動パターン決定用乱数更新処理（Ｓ４５）は、「０」〜「１０２０」の１０２１個の整数を繰り返し作成するカウンタとして構成され、本処理毎で＋１され最大値を超えると初めの値である「０」に戻る。
【００６５】
続く入賞確認処理（Ｓ５０）では、第１，第２始動口１１，１２の入賞の確認、及び、パチンコ機５０に設けられ主制御装置８０に接続された各スイッチ類の入力処理が実行される。
遊技球が第１始動口１１、第２始動口１２に入賞すると大当り決定用乱数，大当り図柄決定用乱数，変動パターン決定用乱数，リーチ判定用乱数など複数の乱数を取得されるのだが、保留記憶できる数を第１始動口１１と第２始動口１２でそれぞれ４個までとしており、保留記憶が満タンである４個のときに遊技球が第１始動口１１又は第２始動口１２に入賞しても賞球が払出されるだけで、前記複数の乱数は保留記憶されない構成になっている。
【００６６】
続いて、大当りか否かを判定する条件成立判定手段としての当否判定処理（Ｓ５５）を行う。この当否判定処理（Ｓ５５）が終了すると、続いて画像出力処理等の各出力理（Ｓ６０）が実行される。
各出力処理（Ｓ６０）では、遊技の進行に応じて、主制御装置８０は、演出図柄制御装置８２，払出制御装置８１，発射制御装置８４，サブ統合制御装置８３，大入賞口ソレノイド１００ｂ等に対して各々出力処理を実行する。即ち、入賞確認処理（Ｓ５０）により遊技盤１上の各入賞口に遊技球の入賞があることが検知されたときには、賞球としての遊技球を払い出すべく払出制御装置８１に賞球データを出力する処理を、遊技状態に対応したサウンドデータをサブ統合制御装置８３に出力する処理を、パチンコ機５０に異常があるときにはエラー中であることを報知すべく演出図柄制御装置８２にエラー信号を出力する処理を各々実行する。
【００６７】
続く不正監視処理（Ｓ６５）は、普通入賞口（第１左入賞口３１，第２左入賞口３２，第３左入賞口３３，第４左入賞口３４）に対する不正が行われていないか監視する処理であり、所定時間内における入賞口への遊技球の入球が予め決定された規定数よりも多いか否かを判断して、多かった場合には不正と判断され、その旨を報知する処理である。つまり、不正判断手段は、主制御装置８０に設けている。
【００６８】
本処理に続く前述の残余処理は、初期値乱数更新処理（Ｓ７０）から構成されるが、前述したＳ２０と全く同じ処理である。この処理は無限ループを形成し、次の割り込みが実行されるまで時間の許される限り繰り返し実行される。前述したＳ１０〜Ｓ６５までの本処理を実行するのに必要とされる時間は、大当り処理を実行するか否か、特別図柄の表示態様の相違等により割り込み毎に異なる。この結果、残余処理を実行する回数も割り込み毎に異なり、図６に示された割り込み処理が１回実行されることにより初期値乱数に更新される値も一律ではなくなる。これにより、初期値乱数が大当り決定用乱数と同期する可能性は極めて小さくなる。大当り決定用乱数が１巡したときの、初期値乱数の値（０〜３１９９の３２００通り）が、同程度に発生するとすれば、同期する確率はわずか１／３２００である。また、前述した当り決定用乱数更新処理（Ｓ３５）も残余処理内において実行するよう構成しても良い。
【００６９】
（３）始動入賞確認処理について
次に、図７により始動入賞確認処理について説明する。始動入賞確認処理は、上述した入賞確認処理の１つとして行われる。
主制御装置８０は、第１始動口スイッチ１１ａの検出信号に基づいて、第１始動口１１に遊技球が入球したか否かを判断する（Ｓ１００）。肯定判断なら（Ｓ１００：ｙｅｓ）、大当り決定用乱数，大当り図柄決定用乱数，リーチ判定用乱数，変動パターン決定用乱数等を該当の各カウンタから読み込んで、第１保留記憶が満杯（第１実施形態では４個）か否かを判断する（Ｓ１０５）。
【００７０】
第１保留記憶が満杯でなければ（Ｓ１０５：ｎｏ）、上記の各乱数を第１保留記憶として記憶し、第１特別図柄保留数表示装置１８の点灯数を１増加させ（Ｓ１１０）、Ｓ１１５へと移行する。なお、Ｓ１１０では、主制御装置８０からサブ統合制御装置８３へ、第１保留記憶に記憶された保留個数を示す保留個数コマンドが送信される。そして、サブ統合制御装置８３が該保留個数コマンドを受信し、演出図柄表示装置６の画面に第１保留記憶に対応する保留図柄を表示する。
【００７１】
第１始動口１１に遊技球が入球していないと判定された場合（Ｓ１００：ｎｏ）、又は既に４個の第１保留記憶があれば（Ｓ１０５：ｙｅｓ）保留記憶せず、第１特別図柄保留数表示装置１８の点灯数を増やすこともなくＳ１１５へ移行する。
Ｓ１１５において、主制御装置８０は、第２始動口スイッチ１２ａの検出信号に基づいて、第２始動口１２に遊技球が入球したか否かを判断する。肯定判断（Ｓ１１５：ｙｅｓ）なら、大当り決定用乱数，大当り図柄決定用乱数，リーチ判定用乱数，変動パターン決定用乱数等を該当の各カウンタから読み込んで、第２保留記憶が満杯（第１実施形態では４個）か否かを判断する（Ｓ１２０）。
【００７２】
第２保留記憶が満杯でなければ（Ｓ１２０：ｎｏ）、上記の各乱数を第２保留記憶として記憶し、第２特別図柄保留数表示装置１９の点灯数を１増加させ（Ｓ１２５）、本処理を終了（リターン）する。なお、Ｓ１２５では、主制御装置８０からサブ統合制御装置８３へ、第２保留記憶に記憶された保留個数を示す保留個数コマンドが送信される。そして、サブ統合制御装置８３が該保留個数コマンドを受信し、演出図柄表示装置６に第２保留記憶に対応する保留図柄を表示する。
【００７３】
第２始動口１２に遊技球が入球していない場合（Ｓ１１５：ｎｏ）、既に４個の第２保留記憶があれば（Ｓ１２０：ｙｅｓ）、第２保留記憶を記憶せず、第２特別図柄保留数表示装置１９の点灯数も増やさずに本処理を終了（リターン）する。
なお、主制御装置８０は、保留記憶された大当り決定用乱数等の値に基づき、該保留記憶に基づく当否判定で大当りとなるか否かや、図柄演出でリーチが発生するか否か等を判定する先読み判定を行っても良い。そして、先読み判定の結果を示すコマンドを、サブ統合制御装置８３に送信しても良い。
【００７４】
（４）当否判定処理について
次に、図８〜１２により当否判定処理について説明する。
先ず図８において、主制御装置８０は、特別電動役物が作動中か否か（特別遊技中か否か）を大当りフラグに基づいて判断する（Ｓ２００）。Ｓ２００の判定が否定判断で（Ｓ２００：ｎｏ）、特別図柄が変動中でなく（Ｓ２０５：ｎｏ）、確定図柄の表示中でもなければ（Ｓ２１０：ｎｏ）、図９のＳ２５０に移行し、第２保留記憶（上記、図７のＳ１２５による保留記憶）があるか否かを判断する（Ｓ２５０）。また、特別電動役物が作動中であると判定された場合には（Ｓ２００：ｙｅｓ）、そのまま当否判定処理を終了（リターン）し、特別遊技処理へ移行する。
【００７５】
この保留記憶があれば（Ｓ２５０：ｙｅｓ）、第２保留記憶数をデクリメントし（Ｓ２５５）、Ｓ２７０に進む。第２保留記憶がなければ（Ｓ２５０：ｎｏ）、第１保留記憶（上記、Ｓ１１０による保留記憶）があるか否かを判断する（Ｓ２６０）。第１保留記憶があれば（Ｓ２６０：ｙｅｓ）、第１保留記憶数をデクリメントし（Ｓ２６５）、Ｓ２７０に進む。また、第１保留記憶が無い場合には（Ｓ２６０：ｎｏ）、特別遊技処理へ移行する。
【００７６】
なお、Ｓ２５５，Ｓ２６５において、保留記憶数がデクリメントされた際には、主制御装置８０は、保留記憶数が減算されたことを示す旨のコマンドをサブ統合制御装置８３に送信する構成となっている。
Ｓ２７０では、保留記憶の中でも最も古いもの（但し第２保留記憶が存在する場合は、第１保留記憶の方が古い場合でも第２保留記憶を優先）を読み込んで（その保留記憶は消去する）、確変フラグがセットされている（すなわち１）か否かを判定する。ここで確変フラグが１とは、確変機能が作動していることを意味する。第１実施形態のパチンコ機５０は、特典状態中に確変機能が作動する。換言すれば、時短機能と共に確変機能が作動する。このため、確変フラグが１である場合には、特典状態となる。そして、肯定判断であれば（Ｓ２７０：ｙｅｓ）、転落抽選処理を行い（Ｓ２７５）、その後転落抽選に当選したか否かを判定する（Ｓ２８０）。肯定判定の場合には（Ｓ２８０：ｙｅｓ）、確変フラグを０にし（Ｓ２８５）、最後に行われた特別遊技の終了後の当否判定回数が、上限回数以上か否かが判定される（Ｓ２９０）。否定判定の場合（Ｓ２９０：Ｎｏ）には、時短フラグが０にされた後（Ｓ２９５）、Ｓ３００に移行する。一方、肯定判定の場合（Ｓ２９０：Ｙｅｓ）には、Ｓ３００に移行する。そして、Ｓ３００では、読み込んだ大当り決定用乱数を通常テーブルに記録されている当り値と照合することで、当否判定が行われる。これに対し、転落抽選で当選しなかった場合には（Ｓ２８０：Ｎｏ）、読み込んだ大当り決定用乱数を確変テーブルに記録されている当り値と照合することで、当否判定が行われる（Ｓ３０５）。Ｓ３００，Ｓ３０５で当否判定が行われた後には、図１０のＳ３３０へ移行する。
【００７７】
Ｓ３３０では、当否判定で当選したか否かが判定される。当選した場合（Ｓ３３０：ｙｅｓ）、大当り図柄決定用乱数によって大当り図柄が決定される（Ｓ３３５）。その後、変動パターン決定処理が行われ（Ｓ３４０）、変動パターン決定用乱数によって大当り変動パターンが決定される。さらにその後、大当り設定処理が行われ（Ｓ３４５）、特図変動開始コマンド送信処理（Ｓ３８０）へ移行する。大当り設定処理とは、決定した大当り図柄に応じて、特別遊技の内容（大当りのオープニング時間，開放パターン，大当りのエンディング時間，種類，ラウンド数等）、及び、特別遊技後の遊技状態を定める処理である。
【００７８】
一方、当否判定で当選しなかった場合（Ｓ３３０：Ｎｏ）、時短フラグが参照される（Ｓ３５０）。時短フラグが０の場合（Ｓ３５０：Ｎｏ）、Ｓ３６５に移行し、時短フラグが１の場合（Ｓ３５０：Ｙｅｓ）、Ｓ３５５に移行する。また、Ｓ３５５では、当否判定回数が上限回数以上か否かが判定され、肯定判定の場合には（Ｓ３５５：Ｙｅｓ）、時短フラグに０が設定された後（Ｓ３６０）、Ｓ３６５に移行する。一方、否定判定の場合には（Ｓ３５５：Ｎｏ）、Ｓ３６５に移行する。
【００７９】
Ｓ３６５ではハズレ図柄が決定され、続いて、リーチ判定用乱数及び変動パターン決定用乱数に基づいて、図柄演出の変動パターンが決定される（Ｓ３７０）。こうして、変動パターンが設定されると、ハズレ設定処理が行われる（Ｓ３７５）。ハズレ設定処理では、時短回数または確変回数がプラスであれば、それぞれ−１する。
Ｓ３４５又はＳ３７５に続いては、特図変動開始コマンド（表示制御コマンド）がサブ統合制御装置８３に出力され（Ｓ３８０）、特別遊技処理へ移行する。特図変動開始コマンドは、当否判定の結果、及び、図柄演出の変動パターン等を示す。サブ統合制御装置８３は、特図変動開始コマンドを受信すると、演出図柄を変動表示させた後、演出図柄を停止表示させることで、当否判定の結果を報知する図柄演出を行う。詳細は後述するが、図柄演出は、特図変動開始コマンドが示す当否判定の結果及び変動パターン等に従って行われる。具体的には、変動パターンが示す変動時間にわたって、演出図柄の変動表示が行われる。なお、図柄演出とほぼ同時に、主制御装置８０は、特別図柄の変動表示を開始する。特別図柄の変動表示により、当否判定の結果が示される。また、特別図柄の変動表示は、図柄演出と同じ変動時間にわたって行われる。
【００８０】
また、図８のＳ２０５において、特別図柄の変動中（Ｓ２０５：ｙｅｓ）と判定された場合には、図１１のＳ４００に移行し、図柄の変動時間を経過したか否かを判定する。否定判定の場合には（Ｓ４００：ｎｏ）、そのまま特別遊技処理に移行する。肯定判定の場合には（Ｓ４００：ｙｅｓ）、確定図柄表示処理（Ｓ４０５）を行ってから特別遊技処理へ移行する。なお、確定図柄表示処理では、確定図柄を表示する旨のコマンド（図柄確定コマンド）をサブ統合制御装置８３に出力するとともに、特別図柄表示装置にコマンドを出力して特別図柄の変動表示を終了させ、いずれかの特別図柄を確定図柄として表示させる。
【００８１】
図８のＳ２１０において確定図柄の表示中と判定された場合には（Ｓ２１０：ｙｅｓ）、図１２のＳ４５０に移行し、確定図柄の表示時間が終了したか否かを判定する。否定判定の場合は（Ｓ４５０：ｎｏ）、特別遊技処理へ移行する。肯定判定（Ｓ４５０：ｙｅｓ）の場合は、確定図柄の表示を終了し（Ｓ４５５）、確定表示された特別図柄が大当りになる図柄か否かを判定する（Ｓ４６０）。肯定判定された場合（Ｓ４６０：ｙｅｓ）、確変フラグが１か否かを判定する（Ｓ４６５）。確変フラグが１であれば（Ｓ４６５：ｙｅｓ）、Ｓ４７０にて確変フラグを０にし、Ｓ４７５に移行する。確変フラグが１でなければ（Ｓ４６５：ｎｏ）、そのままＳ４７５に移行する。Ｓ４７５では、時短フラグが１か否かを判定する（Ｓ４７５）。時短フラグが１であれば（Ｓ４７５：ｙｅｓ）、Ｓ４８０にて時短フラグを０にし、Ｓ４８５に移行する。時短フラグが１でなければ（Ｓ４７５：ｎｏ）、そのままＳ４８５に移行する。
【００８２】
Ｓ４８５では、条件装置作動開始処理により大当りフラグをセットする。続くＳ４９０にて役物連続作動装置を作動させ、Ｓ４９５にて特別遊技開始処理を行う。特別遊技開始処理（Ｓ４９５）では、特別遊技を開始するコマンド及び特別遊技に関する情報（特別遊技のオープニング時間，開放パターン，特別遊技のエンディング時間，種類，ラウンド数等）をサブ統合制御装置８３に送信する。特別遊技開始処理が終了すると、特別遊技処理へ移行する。
【００８３】
Ｓ４６０で確定表示させた特別図柄が大当りになる表示でないと判定された場合は（Ｓ４６０：ｎｏ）、確変フラグが１か否かを判定し（Ｓ５００）、１であれば（Ｓ５００：ｙｅｓ）、確変回数が０か否かを判定する（Ｓ５０５）。確変回数が０であれば（Ｓ５０５：ｙｅｓ）、Ｓ５１０にて確変フラグを０にし、Ｓ５１５に進む。確変フラグが１でないとき（Ｓ５００：ｎｏ）、又は、確変回数が０ではないときは（Ｓ５０５：ｎｏ）、そのままＳ５１５に移行する。
【００８４】
Ｓ５１５では、時短フラグが１か否かを判定し、１であれば（Ｓ５１５：ｙｅｓ）、時短回数が０か否かを判定する（Ｓ５２０）。時短回数が０であれば（Ｓ５２０：ｙｅｓ）、Ｓ５２５にて時短フラグを０にしてＳ５３０に進む。時短フラグが１でないとき（Ｓ５１５：ｎｏ）、又は、時短回数が０ではないときは（Ｓ５２０：ｎｏ）、そのままＳ５３０に移行する。
【００８５】
Ｓ５３０では、主制御装置８０が現在の遊技状態等を示す状態指定コマンドを、特別図柄の確定表示時間（一例として、６００ｍｓ）後にサブ統合制御装置８３に送信する。
なお、第１実施形態では、大当りとならなかった場合における状態指定コマンドの送信タイミングは、特別図柄の確定表示時間の経過後となっているが、特別図柄変動開始時及び電源復旧時においても状態指定コマンドを送信する構成にしてもよい。
【００８６】
（５）特別遊技処理について
次に、図１３〜１５により特別遊技処理について説明する。
先ず、図１３において、主制御装置８０は、役物連続作動装置が作動中か否かを大当りフラグに基づいて判断する（Ｓ７００）。肯定判定の場合には（Ｓ７００：ｙｅｓ）、大入賞口１００が開放中か否かを判断する（Ｓ７０５）。大入賞口１００の開放中ではない場合は（Ｓ７０５：ｎｏ）、ラウンド間のインターバル中により大入賞口１００が閉鎖しているのか判断する（Ｓ７１０）。インターバル中でもない場合は（Ｓ７１０：ｎｏ）、大当り終了演出中であるか判断する（Ｓ７１５）。これも否定判断の場合は（Ｓ７１５：ｎｏ）、特別遊技の開始前演出の演出時間が経過したか否かを判定する（Ｓ７２０）。該演出時間が経過した場合は（Ｓ７２０：ｙｅｓ）、大入賞口開放処理（Ｓ７２５）を行って本処理を終了（リターン）する。なお、役物連続作動装置が作動中でない場合（Ｓ７００：ｎｏ）、又は、特別遊技の開始前演出の演出時間が経過していない場合には（Ｓ７２０：ｎｏ）、そのまま特別遊技処理を終了（リターン）する。
【００８７】
Ｓ７０５で大入賞口１００が開放中であると判定された場合は（Ｓ７０５：ｙｅｓ）、図１４のＳ７４０に進む。Ｓ７４０では、主制御装置８０は、大入賞口１００及び継続口１０１に入球した遊技球を検出し、検出結果に基づき、現在のラウンドにおける遊技内容を特定する。具体的には、例えば、現在のラウンドである条件付ラウンドにおいて、何番目に大入賞口１００に入球した遊技球が継続口１０１に入球したかや、継続口１０１に入球した遊技球の数等を、遊技内容として特定しても良い。なお、特定された遊技内容は、コマンドによりサブ統合制御装置８３に送信される。
【００８８】
Ｓ７４５では、大入賞口１００に１０個入賞したか否かを判定する。なお、第１実施形態では１０個だが、９個又は８個でもよく、特に限定するものではない。否定判定の場合には（Ｓ７４５：ｎｏ）、大入賞口１００の開放時間が終了したか否かを判定する（Ｓ７５０）。なお、各ラウンドの最大開放時間は、２８秒程度であっても良い。肯定判定の場合には（Ｓ７５０：ｙｅｓ）、Ｓ７５５へ移行する。また、大入賞口１００に遊技球が１０個入賞した場合には（Ｓ７４５：ｙｅｓ）、Ｓ７５５へ合流し、大入賞口閉鎖処理が行われる。
【００８９】
続くＳ７６０では、主制御装置８０は、現在のラウンドが条件付ラウンドである場合には、当該条件付ラウンドにて継続口への入球が生じたか否かを判定する。そして、肯定判定の場合には（Ｓ７６０：Ｙｅｓ）、Ｓ７７０に移行し、否定判定の場合には（Ｓ７６０：Ｎｏ）、現在のラウンドを最終ラウンドに設定し（Ｓ７６５）、Ｓ７７０に移行する。
その後、大当りインターバル処理（Ｓ７７０）を行って、特別遊技処理を終了（リターン）する。また、大入賞口１００の開放時間が終了していない場合（Ｓ７５０：ｎｏ）には、そのままリターンとなる。
【００９０】
図１３のＳ７１０でインターバル中であると判定された場合は（Ｓ７１０：ｙｅｓ）、図１４のＳ７７５に進み、大当りインターバル時間が経過したか否かを判定する。インターバル時間が経過している場合（Ｓ７７５：ｙｅｓ）は、直前に大入賞口１００が開いていたのが最終ラウンドか否かを判定する（Ｓ７８０）。最終ラウンドであれば（Ｓ７８０：ｙｅｓ）、大当り終了演出処理（Ｓ７８５）を行い、特別遊技処理を終了（リターン）する。最終ラウンドでなければ（Ｓ７８０：ｎｏ）、再び大入賞口１００を開放する処理（Ｓ７９０）を行い、特別遊技処理を終了（リターン）する。なお、大当りインターバル時間が経過していないと判定された場合（Ｓ７７５：ｎｏ）には、そのままリターンとなる。また、大入賞口１００を開放・閉鎖する処理においては、サブ統合制御装置８３にも信号を送信する。サブ統合制御装置８３は、その信号に基づいて、現在のラウンドを把握し、該ラウンドに応じた演出を行う。
【００９１】
図１３のＳ７１５で大当りの終了演出中であると判定された場合は（Ｓ７１５：ｙｅｓ）、図１５のＳ８００に進み、大当り終了演出時間が経過したか否かを判定する（Ｓ８００）。大当り終了演出の時間を経過していないと判定された場合には（Ｓ８００：ｎｏ）、特別遊技処理が終了（リターン）する。一方、大当り終了演出時間が経過した場合には（Ｓ８００：ｙｅｓ）、役物連続作動装置の作動を停止し（Ｓ８０５）、条件装置の作動を停止する（Ｓ８１０）。そして、Ｓ３４５で設定された遊技状態に基づき、確変機能を作動させるか否かが判定される（Ｓ８１５）。確変機能が作動する場合（Ｓ８１５：Ｙｅｓ）、確変回数が設定されると共に（Ｓ８２０）、確変フラグが１に設定され（Ｓ８２５）、Ｓ８３０に移行する。なお、確変回数は、一例として１００００回が設定される。また、確変機能が作動しない場合（Ｓ８１５：Ｎｏ）、そのままＳ８３０に移行する。
【００９２】
Ｓ８３０では、Ｓ３４５で設定された遊技状態に基づき、時短機能を作動させるか否かが判定される。時短機能が作動する場合（Ｓ８３０：Ｙｅｓ）、時短回数が設定されると共に（Ｓ８３５）、時短フラグが１に設定され（Ｓ８４０）、Ｓ８４５に移行する。なお、時短回数は、一例として１００００回が設定される。また、時短機能が作動しない場合（Ｓ８３０：Ｎｏ）、そのままＳ８４５に移行する。なお、時短フラグが１である場合には、時短機能の作動に加え、特別図柄及び普通図柄の平均変動時間が短縮される。
【００９３】
Ｓ８４５では、大当り終了コマンドがサブ統合制御装置８３に送信され、その後、状態指定コマンドがサブ統合制御装置８３に送信（Ｓ８６０）されて、特別遊技処理が終了する。
（６）演出について
パチンコ機５０は、当否判定の結果等を示唆又は報知するための演出を行う。すなわち、上述した図柄演出のほか、先読み演出や、大当り予告演出等といったカテゴリの演出が設けられており、各カテゴリの演出として、さらに、対応する当否判定で大当りとなることへの期待度が固有に定められた複数の種類の演出が設けられている。
【００９４】
これらの演出は、サブ統合制御装置８３が、主制御装置８０からのコマンドに基づき演出図柄制御装置８２等を制御することで行われる。また、各種類の演出は、予め定められた確率で実行される。具体的には、サブ統合制御装置８３は、主制御装置８０にて抽選等により選択され、コマンドにより指示された種類の演出を行っても良いし、サブ統合制御装置８３にて抽選により選択した種類の演出を行っても良い。
【００９５】
また、パチンコ機５０における演出の態様として、報知態様と非報知態様が設けられている。非報知態様の演出は、遊技状態（例えば、確変機能が作動しているか否か）を明確に判別できない態様で行われる。すなわち、非報知態様である場合には、予め定められた複数の種類の演出の各々が、遊技状態に関わらず所定の確率で実行される。無論、これらの演出では、遊技状態を正確に報知するといったことは行われない。このため、遊技者は、非報知態様でなされた演出からは、遊技状態を判別できない。より詳しくは、例えば、特別期間において転落抽選に当選したか否か（換言すれば、確変機能が作動しているか否か）を把握できない。
【００９６】
なお、非報知態様の演出において、確変機能が作動している場合には、そうでない場合に比べ、期待度が相対的に高い演出をより高い確率で行うようにしても良い。このような態様で演出が行われたとしても、遊技者は遊技状態を明確に判別することはできない。
一方、報知態様の演出は、遊技状態を明確に判別できる態様で行われる。具体的には、例えば、報知態様の場合には、非報知態様とは異なる内容の演出が行われても良いし、遊技状態を示すメッセージが音声又は映像により出力されても良い。
【００９７】
そして、特別期間における演出の態様は、直前に行われた特別遊技の種類と、該特別遊技において遊技者により行われた遊技内容とのうちの少なくとも一方に基づき定められる。以下では、特別期間の演出の態様を定める演出制御処理について、図１６のフローチャートにより詳しく説明する。なお、演出制御処理は、サブ統合制御装置８３により定期的に実行される。
【００９８】
Ｓ９００では、サブ統合制御装置８３は、主制御装置８０からのコマンドに基づき、特別期間であるか否かを判定する。そして、肯定判定が得られた場合には（Ｓ９００：Ｙｅｓ）、Ｓ９０５に移行し、否定判定が得られた場合には（Ｓ９００：Ｎｏ）、本処理を終了する。なお、サブ統合制御装置８３は、例えば、特図変動開始コマンドに基づき特別遊技終了後における当否判定回数をカウントし、カウント結果に基づき、特別期間か否か等を判定しても良い。
【００９９】
Ｓ９０５では、サブ統合制御装置８３は、直前に行われた特別遊技の種類、又は、該特別遊技において行われた遊技内容に基づき、演出の態様を、報知態様と非報知態様とのうちのいずれかに定める。なお、該特別遊技の種類、又は、該遊技内容は、主制御装置８０からのコマンドに基づき把握される。
具体例を挙げると、条件付特別遊技の後に特典状態に移行した場合には、サブ統合制御装置８３は、該条件付特別遊技にて行われたラウンド数を該条件付特別遊技における遊技内容とし、該ラウンド数に応じて演出の態様を定めても良い。すなわち、該ラウンド数が予め定められた閾値に達している場合には、演出の態様を報知態様とし、そうでない場合には、演出の態様を非報知態様としても良い。また、これとは反対に、該ラウンド数が予め定められた閾値に達している場合には、演出の態様を非報知態様とし、そうでない場合には、演出の態様を報知態様としても良い。
【０１００】
また、例えば、該条件付特別遊技のいずれかの条件付ラウンドにおいて、継続口１０１への入球が生じたタイミングに基づき、演出の態様を定めても良い。具体的には、該条件付ラウンドにおいて、継続口１０１に入球した遊技球は、何番目に大入賞口１００に入球した遊技球であるかに基づき、演出の態様を定めても良い。すなわち、該条件付ラウンドにおいて最初に継続口１０１に入球した遊技球が、当該ラウンドにおいてＸ番目（Ｘは正の整数）に大入賞口１００に入球したものであるとする。Ｘが予め定められた閾値以上であるか否かに応じて、演出の態様を定めても良い。
【０１０１】
また、例えば、直前に行われた特別遊技における賞球数、又は、該特別遊技における特定のラウンドでの賞球数等に基づき、演出の態様を定めても良い。
また、例えば、特別遊技の種類として条件付特別遊技及び無条件特別遊技の少なくとも２種類が設けられており、これらの種類の特別遊技の後に特典状態に移行する可能性がある場合には、直前に行われた特別遊技の種類に応じて演出の態様を定めても良い。具体的には、該特別遊技が条件付特別遊技である場合には、演出の状態を報知態様とし、該特別遊技が無条件特別遊技である場合には、演出の状態を非報知態様としても良い。また、これとは反対に、該特別遊技が条件付特別遊技である場合には、演出の状態を非報知態様とし、該特別遊技が無条件特別遊技である場合には、演出の状態を報知態様としても良い。
【０１０２】
そして、演出の態様が報知態様に定められた場合には（Ｓ９１０：Ｙｅｓ）、サブ統合制御装置８３は、Ｓ９１５に移行し、演出の態様を報知態様に設定して本処理を終了する。一方、演出の態様が非報知態様に定められた場合には（Ｓ９１０：Ｎｏ）、サブ統合制御装置８３は、Ｓ９２０に移行し、演出の態様を非報知態様に設定して本処理を終了する。
【０１０３】
［効果］
第１実施形態のパチンコ機５０によれば、特別遊技の種類や特別遊技の条件付ラウンドにおいて行われた遊技内容等に応じて、特別期間の演出が、報知態様と非報知態様とのうちのいずれかに定められる。このため、例えば、遊技者の技量や運や獲得した利益等に応じて特別遊技後の演出が変化し、演出を多様化することが可能となる。また、一定の技量を有する遊技者であれば、特別遊技の遊技内容を調整し、遊技者が希望する演出を行わせることが可能となる。したがって、興趣の高い演出を行うことが可能となる。
【０１０４】
また、報知態様の演出が行われている場合、遊技者は確変機能が作動しているか否かを把握できるが、該遊技状態の変化は、遊技の終了時期の判断材料となる可能性がある。このため、遊技者は、例えば、その技量や運や獲得した利益等により遊技の終了時期の判断材料を得ることができ、これにより、有利に遊技を行うことが可能となる。
［第２実施形態］
（１）相違点の概要について
第２実施形態のパチンコ機５０は、第１実施形態と同様の構成を有しているが、一部の構成が第１実施形態と相違している。以下では、第１実施形態との相違点について説明する。
【０１０５】
すなわち、図１７に示すように、第２実施形態のパチンコ機５０の大入賞口１００には、継続口１０１に替えて確変口１０２が設けられている。なお、第１実施形態の継続口１０１と同様、確変口１０２は、所定のパターンで移動したり、開閉がなされたりしても良い。そして、大入賞口１００に入球した遊技球の一部が、確変口１０２に入球するようにしても良い。また、確変口１０２の配置位置は、これに限らず、例えば、大入賞口１００の外部に配置されていても良い。そして、図１８に示すように、確変口１０２への入球は確変口ＳＷ１０２ａにより検出される。
【０１０６】
また、第２実施形態のパチンコ機５０においても、１又は複数の種類の特別遊技が設けられており、これらのうちの少なくとも１種類には、１又は複数の確変ラウンドが設けられている。以後、確変ラウンドを有する特別遊技を、確変特別遊技と記載する。確変特別遊技の確変ラウンドにて確変口１０２に遊技球が入球した場合には、該確変特別遊技の終了後に特典状態又は確変状態に移行する。一方、確変ラウンドにて確変口１０２に遊技球が入球しなかった場合には、該確変特別遊技の終了後に時短状態又は通常状態に移行する。
【０１０７】
また、第２実施形態のパチンコ機５０は、第１実施形態と同様の演出が行われ、演出の態様として、報知態様と非報知態様とが設けられているが、特別期間における演出の態様の決定方法が一部相違している。すなわち、第２実施形態では、特別期間の直前に行われた確変特別遊技における遊技内容に基づき、該演出の態様が定められる。
以下では、第２実施形態のパチンコ機５０にける第１実施形態との相違点について、詳しく説明する。
【０１０８】
（２）特別遊技処理について
第２実施形態の特別遊技処理は、Ｓ７４０と、Ｓ７５５〜Ｓ７７０と、Ｓ８１５とにおいて第１実施形態と相違する。
具体的には、Ｓ７４０では、主制御装置８０は、大入賞口１００及び確変口１０２に入球した遊技球を検出し、検出結果に基づき、現在のラウンドにおける遊技内容を特定する。具体的には、例えば、現在のラウンドである確変ラウンドにおいて、何番目に大入賞口１００に入球した遊技球が確変口１０２に入球したかや、確変口１０２に入球した遊技球の数等を、遊技内容として特定しても良い。なお、特定された遊技内容は、コマンドによりサブ統合制御装置８３に送信される。
【０１０９】
また、第２実施形態では、第１実施形態の特別遊技処理におけるＳ７６０，Ｓ７６５が省略される。このため、Ｓ７５５に続いてＳ７７０が実行される。
また、Ｓ８１５，Ｓ８３０では、確変特別遊技においては、確変ラウンドにて確変口１０２に入球したか否かに基づき、確変機能及び時短機能を作動させるか否かが判定される。
【０１１０】
（３）演出制御処理について
第２実施形態の演出制御処理は、Ｓ９０５において第１実施形態と相違する。
具体的には、Ｓ９０５では、サブ統合制御装置８３は、直前に行われた特別遊技の種類、又は、該特別遊技において行われた遊技内容に基づき、演出の態様を、報知態様と非報知態様とのうちのいずれかに定める。この点においては、第１実施形態と同様である。
【０１１１】
しかしながら、第２実施形態では、確変特別遊技の後に特典状態に移行した場合には、サブ統合制御装置８３は、該確変特別遊技のいずれかの確変ラウンドに関する遊技内容に基づき、演出の態様を定める。より詳しくは、確変口１０２への入球が生じた確変ラウンドに関する遊技内容に基づき、演出の態様が定められても良い。
具体的には、例えば、サブ統合制御装置８３は、例えば、確変口１０２への入球が生じた確変ラウンドにおける確変口１０２への入球が生じたタイミングに基づき、演出の態様を定めても良い。すなわち、該確変ラウンドにおいて、確変口１０２に入球した遊技球は、何番目に大入賞口１００に入球した遊技球であるかに基づき、演出の態様を定めても良い。つまり、該確変ラウンドにおいて最初に継続口１０１に入球した遊技球が、当該ラウンドにおいてＸ番目（Ｘは正の整数）に大入賞口１００に入球したものであるとする。サブ統合制御装置８３は、Ｘが予め定められた閾値以上であるか否かに応じて、演出の態様を定めても良い。この他にも、例えば、当該ラウンドにおいて最初に継続口１０１に入球した遊技球が、当該ラウンドの開始後、Ｙ秒後に大入賞口１００に入球したものであるとする。サブ統合制御装置８３は、Ｙが予め定められた閾値以上であるか否かに応じて、演出の態様を定めても良い。
【０１１２】
また、例えば、確変特別遊技に複数の確変ラウンドが設けられている場合には、サブ統合制御装置８３は、どの確変ラウンドで確変口１０２への入球が生じたかに基づき、演出の態様を定めても良い。一例を挙げると、３及び１０ラウンドが確変ラウンドである場合には、最初に確変口１０２への入球が生じたラウンドが３ラウンドであるか１０ラウンドであるかに応じて、演出の態様を定めても良い。
【０１１３】
また、例えば、サブ統合制御装置８３は、確変特別遊技における１又は複数の確変ラウンドにおける確変口１０２への入球数に基づき、演出の態様を定めても良い。一例を挙げると、入球数が予め定められた閾値を超えるか否かに応じて、演出の態様を定めても良い。
また、第１実施形態と同様、例えば、直前に行われた特別遊技における賞球数、又は、該特別遊技における特定のラウンドでの賞球数等に基づき、演出の態様を定めても良い。
【０１１４】
また、例えば、特別遊技の種類として確変特別遊技を含む少なくとも２種類が設けられており、これらの種類の特別遊技の後に特典状態に移行する可能性がある場合には、直前に行われた特別遊技の種類に応じて演出の態様を定めても良い。
［効果］
第２実施形態のパチンコ機５０によれば、特別遊技の種類や特別遊技の確変ラウンドにおいて行われた遊技内容等に応じて、特別期間の演出が、報知態様と非報知態様とのうちのいずれかに定められる。このため、第１実施形態と同様、興趣の高い演出を行うことが可能となると共に、遊技者は、例えば、その技量や運や獲得した利益等により遊技の終了時期の判断材料を得ることができ、これにより、有利に遊技を行うことが可能となる。
【０１１５】
［他の実施形態］
（１）第１実施形態のパチンコ機５０において、大入賞口１００に、第２実施形態と同様の確変口を設けても良い。また、条件付特別遊技又は無条件特別遊技において、第２実施形態と同様の確変ラウンドを設け、確変口への入球が生じた場合には、特別遊技の終了後、特典状態に移行するようにしても良い。そして、第２実施形態と同様にして、特別遊技の種類、又は、確変ラウンドを有する特別遊技において行われた遊技内容に基づき、特別期間の演出の態様を定めても良い。
【０１１６】
（２）第２実施形態のパチンコ機５０において、大入賞口１００に、第１実施形態と同様の継続口を設けても良い。また、確変特別遊技として、条件付ラウンドを有するものと、条件付ラウンドを有さないものとを設けても良い。そして、条件付ラウンドを有する確変特別遊技の後に行われた特別期間の演出の態様を、第１実施形態と同様にして、特別遊技の種類、又は、条件付ラウンドを有する特別遊技において行われた遊技内容に基づき、特別期間の演出の態様を定めても良い。
【０１１７】
（３）第１，第２実施形態のパチンコ機５０において、特別遊技後に、確変状態、時短状態、又は、通常状態に移行した場合においても、同様にして、該特別遊技の種類、又は、該特別遊技において行われた遊技内容に基づき、該特別遊技の終了後における演出の態様を定めても良い。また、このような場合には、転落抽選を行わない構成としても良い。
［特許請求の範囲との対応］
第１，第２実施形態の説明で用いた用語と、特許請求の範囲の記載に用いた用語との対応を示す。
【０１１８】
第１，第２実施形態におけるパチンコ機５０が、弾球遊技機に、サブ統合制御装置８３，演出図柄制御装置８２，演出図柄表示装置６等が、演出手段に相当する。また、当否判定処理のＳ２８５，Ｓ２９５，Ｓ３６０と、特別遊技処理のＳ８２５，Ｓ８４０とが、移行手段に相当する。また、当否判定処理のＳ２７５が、転落抽選手段に相当する。また、特別遊技処理のＳ７２５，Ｓ７４０，Ｓ７５５〜Ｓ７６５，Ｓ７９０が、特別遊技手段に相当する。また、確変機能が作動していない時短状態及び通常状態が、非確変状態に相当する。
【符号の説明】
【０１１９】
１…遊技盤、６…演出表示装置、１１…第１始動口、１２…第２始動口、５０…パチンコ機、８０…主制御装置、８３…サブ統合制御装置、１００…大入賞口、１０１…継続口、１０２…確変口。
【図１】
2018051018.tif 000003
【図２】
2018051018.tif 000004
【図３】
2018051018.tif 000005
【図４】
2018051018.tif 000006
【図５】
2018051018.tif 000007
【図６】
2018051018.tif 000008
【図７】
2018051018.tif 000009
【図８】
2018051018.tif 000010
【図９】
2018051018.tif 000011
【図１０】
2018051018.tif 000012
【図１１】
2018051018.tif 000013
【図１２】
2018051018.tif 000014
【図１３】
2018051018.tif 000015
【図１４】
2018051018.tif 000016
【図１５】
2018051018.tif 000017
【図１６】
2018051018.tif 000018
【図１７】
2018051018.tif 000019
【図１８】
2018051018.tif 000020